(57)【要約】【課題】内箱に設けた仕切り壁取付部への仕切り壁の取付けが容易かつ確実で、内箱が変形したり割れを生じたりすることのない冷蔵庫を提供する。【解決手段】上下方向に複数の室２，３が形成される内箱１と、内箱１の左右の側壁１ａ，１ｂ及び後壁１ｃに設けた仕切り壁取付部５に取付けられて上下の室２，３を区画する仕切り壁１０とを有し、仕切り壁取付部５を、前面側に開口する断面ほぼコ字状の前部嵌合凹部６、前部嵌合凹部６の下面の後端部から斜め上方に延設された傾斜部７、傾斜部７に連続する支持部８、及び後壁１ｃに設けられて下面が支持部８に連続する断面ほぼコ字状の後部嵌合凹部９によって構成し、仕切り壁１０を、その両側縁部及び後縁部が仕切り壁取付部５に嵌合しうる形状に構成した。【選択図】図１
2011112278.tif 000002
【特許請求の範囲】
【請求項１】
上下方向に複数の室が形成される内箱と、該内箱の左右の側壁及び後壁に設けた仕切り壁取付部に取付けられて上下の室を区画する仕切り壁とを有し、
前記仕切り壁取付部を、前面側に開口する断面ほぼコ字状の前部嵌合凹部、該前部嵌合凹部の下面の後端部から斜め上方に延設された傾斜部、該傾斜部に連続する支持部、及び前記後壁に設けられて下面が前記支持部に連続する断面ほぼコ字状の後部嵌合凹部によって構成し、
前記仕切り壁を、その両側縁部及び後縁部が前記仕切り壁取付部に嵌合しうる形状に構成したことを特徴とする冷蔵庫。
【請求項２】
前記内箱の仕切り壁取付部の上面から下方の左右の側壁及び後壁の板厚を、該仕切り壁取付部の上面から上方の左右の側壁及び後壁の板厚より厚く形成したことを特徴とする請求項１記載の冷蔵庫。
【請求項３】
前記内箱の仕切り壁取付部の上面の下部近傍の左右の側壁及び後壁の板厚を、該仕切り壁取付部の上面から上方の左右の側壁及び後壁の板厚より厚く形成したことを特徴とする請求項１記載の冷蔵庫。
【請求項４】
前記仕切り壁取付部を、下面が上面より幅広で断面ほぼコ字状に形成されて前面側に開口する前部嵌合凹部と、該前部嵌合凹部の下面の後端部に連続して斜め上方に延設された傾斜面と、該傾斜面の幅と前記前部嵌合凹部の上面の幅との差によって形成され前記傾斜面に連続する支持部と、前記後壁に設けられてその下面が前記支持部に連続し該下面が上面より幅広で断面ほぼコ字状の後部嵌合凹部とによって構成したことを特徴とする請求項１〜３のいずれかに記載の冷蔵庫。
【請求項５】
前記内箱に設けた仕切り壁取付部の支持部を、前記仕切り壁取付部の上面より下の部分の板厚と、前記上面より上の部分の板厚との差により形成したことを特徴とする請求項１〜４のいずれかに記載の冷蔵庫。
【請求項６】
前記仕切り壁を、後部に斜め上方に傾斜した傾斜部を有する前部水平部と、前部が斜め下方に傾斜して前記前部水平部の後部上面に重畳され、後部が前記前部水平部の後端部より後方に延設された後部水平部とからなり、前記前部水平部の幅を後部水平部の幅より広く形成したことを特徴とする請求項１〜５のいずれかに記載の冷蔵庫。
【請求項７】
前記仕切り壁の前部水平部の幅を前記内箱に設けた仕切り壁取付部の前部嵌合凹部の底部間の幅寸法とほぼ等しく形成し、前記後部水平部の幅を前記内箱の仕切り壁取付部の上部の側壁内壁面間の幅寸法とほぼ等しく形成したことを特徴とする請求項６記載の冷蔵庫。
【発明の詳細な説明】
【技術分野】
【０００１】
本発明は、冷蔵庫に係り、より詳しくは、冷蔵庫本体を構成する内箱及びこの内箱に設けられて上下の室を区画する仕切り壁に関するものである。
【背景技術】
【０００２】
従来の冷蔵庫の内箱の斜視図である図６及びそのII−II断面図である図７において、内箱２０の両側壁２１ａ，２１ｂ及び後壁２１ｃの内壁面には、後述の仕切り壁３０が嵌合して取付けられる断面コ字状の嵌合凹部２２が設けられている。なお、内箱２０は真空成形により製造される。
【０００３】
この嵌合凹部２２は、前面側に開口して水平に形成された前部水平凹部２２ａ、これに続いて斜め上方に立ち上った傾斜凹部２２ｂ、前部水平凹部２２ａより上方において傾斜凹部２２ｂに連続する後部水平凹部２２ｃ及び後壁２１ｃに設けられて両側壁２１ａ，２１ｂの後部水平凹部２２ｃに連続する後壁凹部２２ｄからなっている。
【０００４】
ここで、両側壁２１ａ，２１ｂの内壁面間の幅寸法はＦ、嵌合凹部２２の底部２２ｅ間の幅寸法はＧであり、嵌合凹部２２の開口部から傾斜凹部２２ｂの上面の終端部までの寸法はＭ1、傾斜凹部２２ｂの終端部から後壁凹部２２ｄの底部までの寸法はＭ2である。
したがって、両側壁２１ａ，２１ｂの嵌合凹部２２の底部２２ｅ間の幅寸法Ｇは、側壁２１ａ，２１ｂの内壁面間の幅寸法Ｆより大きくＧ＞Ｆであり、両者間に段差部Ｕが形成される（以下、この段差部をアンダーカット部と記すことがある）。
【０００５】
図８は内箱２０の嵌合凹部２２に嵌合されて上室と下室を区画する仕切り壁３０の斜視図である。仕切り壁３０は、一般に、風路等の関係で後部が上方に立ち上った形状（後部が立ち下った形状のものもある）になっている。
この仕切り壁３０は、内箱２０の嵌合凹部２２の前部水平凹部２２ａに対応した前部水平部３１、傾斜凹部２２ｂに対応した傾斜部３２及び後部水平凹部２２ｃに対応した後部水平部３３からなっている。
【０００６】
ここで、仕切り壁３０前部水平部３１の幅寸法はＨ、後部水平部３３の幅寸法はＪで、内箱２０の幅寸法Ｆ，Ｇとの関係は、Ｇ≧Ｈ＝Ｊ＞Ｆである。なお、仕切り壁３０の奥行方向の寸法Ｍ3，Ｍ4は、内箱２０の嵌合凹部２２の奥行方向の寸法Ｍ1，Ｍ2に対応する。
【０００７】
上記のように構成した内箱２０に、上室と下室とを区画するために仕切り壁３０を取付ける場合は、図９に示すように、仕切り壁３０の後部水平部３３を嵌合凹部２２の前部水平凹部２２ａの上方に位置させ、両側壁２１ａ，２１ｂを押し広げながら押し込む。
そして、仕切り壁３０が内箱２０の奥行方向の中央部付近に到達すると、後部水平部３３の両側縁部が嵌合凹部２２の後部嵌合凹部２２ｃに徐々に嵌合し、さらに押し込むと、仕切り壁３０の両側縁部が左右の嵌合凹部２２に嵌合し、また後縁部が後壁２１ｃの後壁凹部２２ｄに嵌合して装着される。このとき、仕切り壁３０の傾斜部３２の両側縁部（斜線で示す）が、嵌合凹部２２の傾斜凹部２２ｂの上面（斜線で示す）に密着し、固定される。このときの状態を図１０に示す（例えば、特許文献１参照）。
【先行技術文献】
【特許文献】
【０００８】
【特許文献１】実開昭５１−９５０６３号公報（第１頁−５頁、図１−４）
【発明の概要】
【発明が解決しようとする課題】
【０００９】
上記のような従来の冷蔵庫においては、仕切り壁３０の幅Ｈ，Ｊが内箱２０の両側壁２１ａ，２１ｂの内壁面間の幅Ｆより広いため、仕切り壁３０の取付けにあたっては、両側壁２１ａ，２１ｂを押し広げながらムリに押し込まなければならない。このため、取付け作業がきわめて面倒であるばかりでなく、仕切り壁３０の挿入不足などを生ずることがある。
【００１０】
また、仕切り壁３０を嵌合凹部２２に挿入するために、内箱２０の両側壁２１ａ，２１ｂをムリに押し広げるため、内箱２０にムリな力が加わって割れや変形を生じるおそれがある。
さらに、内箱２０は前記のように構成されているため、真空成形時に一部に薄肉化が生じたり、真空成形後にオス型を図６の矢印ａ方向に脱型する際に、内箱２０に変形や割れが発生したりするおそれがある。
【００１１】
本発明は、上記の課題を解決するためになされたもので、内箱に設けた仕切り壁取付部への仕切り壁の取付けが容易かつ確実で、内箱が変形したり割れを生じたりすることのない冷蔵庫を提供することを目的としたものである。
【課題を解決するための手段】
【００１２】
本発明に係る冷蔵庫は、上下方向に複数の室が形成される内箱と、該内箱の左右の側壁及び後壁に設けた仕切り壁取付部に取付けられて上下の室を区画する仕切り壁とを有し、前記仕切り壁取付部を、前面側に開口する断面ほぼコ字状の前部嵌合凹部、該前部嵌合凹部の下面の後端部から斜め上方に延設された傾斜部、該傾斜部に連続する支持部及び前記後壁に設けられて下面が前記支持部に連続する断面ほぼコ字状の後部嵌合凹部によって構成し、前記仕切り壁を、その両側縁部及び後縁部が前記仕切り壁取付部に嵌合しうる形状に構成したものである。
【発明の効果】
【００１３】
本発明によれば、内箱に設けた仕切り壁取付部への仕切り壁の取付けが容易かつ確実で安定して保持され、その上真空成形後のオス型又はメス型の脱型性を向上することのできる冷蔵庫を得ることができる。
【図面の簡単な説明】
【００１４】
【図１】本発明の一実施の形態に係る冷蔵庫の内箱に仕切り壁を取付けた状態を示す斜視図である。
【図２】図１の内箱の斜視図である。
【図３】図２のＩ−Ｉ断面図である。
【図４】図１の仕切り壁の斜視図である。
【図５】図２の内箱に図４の仕切り壁を取付ける手順の説明図である。
【図６】従来の冷蔵庫の内箱の斜視図である。
【図７】図６のII−II断面図である。
【図８】図６の内箱に取付ける仕切り壁の斜視図である。
【図９】図６の内箱へ図８の仕切り壁を取付ける手順の説明図である。
【図１０】図６の内箱に図８の仕切り壁を取付けた状態を示す斜視図である。
【発明を実施するための形態】
【００１５】
図１は本発明の一実施の形態に係る冷蔵庫の内箱に、仕切り壁を取付けた状態を示す斜視図である。
この内箱１は例えば真空成形により製造されており、内箱１に設けた仕切り壁取付部５に取付けられた仕切り壁１０により、上室２と下室３とに区画されている。そして、下室３の両側壁１ａ，１ｂ及び後壁１ｃの板厚ｔ2、より詳しくは、仕切り壁取付部５の上面６ｂより下方の板厚ｔ2は、上室２の側壁１ａ，１ｂ及び後壁１ｃの板厚ｔ1、より詳しくは、仕切り壁取付部５の上面６ｂより上方の板厚ｔ1より厚く、ｔ2＞ｔ1に形成されている。
【００１６】
図２は図１の内箱１の斜視図、図３は図２のＩ−Ｉ断面図である。両側壁１ａ，１ｂと後壁１ｃの上室２と下室３との境界には、仕切り壁１０を取付ける仕切り壁取付部５が設けられている。この仕切り壁取付部５は、前面側に開口し、奥行方向の中央部より若干奥側まで水平に設けられた断面ほぼコ字状の前部嵌合凹部６と、この前部嵌合凹部６の下面６ａから前面嵌合凹部６の上面６ｂよりやや上方まで、後部側に向って斜め上方に延設された傾斜部７と、側壁１ａ，１ｂの上室２と下室３の板厚ｔ1とｔ2との差によって水平に形成され、傾斜部７の上端部に連続する支持部８と、後壁１ｃの幅方向に設けられ、下面６ａの両端部が支持部８に連続する断面ほぼコ字状の後部嵌合凹部９とからなっている。そして、前部嵌合凹部６及び後部嵌合凹部９の下面６ａは、下室３の側壁１ａ，１ｂ及び後壁１ｃの板厚ｔ2に対応して幅広で、上面６ｂは上室２の側壁１ａ，１ｂ及び後壁１ｃの板厚ｔ1に対応して幅狭になっている。
【００１７】
ここで、上室２の側壁１ａ，１ｂの内壁面間の幅寸法はＡ、下室３の側壁１ａ，１ｂの内壁面間の幅寸法はＢ、前部嵌合凹部６の底部６ｃ間の幅寸法はＣであり、Ｃ＞Ａ＞Ｂの関係になっている。また、前部嵌合凹部６の開口部から傾斜部７の上端部までの寸法はＬ1、傾斜部７の上端部から後部嵌合凹部９の底部までの寸法はＬ2である。
【００１８】
仕切り壁１０は、図４に示すように、後面側に後方に向って斜め上方に延設された傾斜面１２を有する前部水平部１１と、前面側に前方に向って斜め下方に傾斜する傾斜面１５を有し、前部水平部１１の後部側の上面に重畳され、傾斜面１２の後端部から後方に延設（延設部１４）されて一体に形成された後部水平部１３とからなっている。
【００１９】
この仕切り壁１０は、後部水平部１３の幅寸法Ｅが前部水平部１１の幅寸法Ｄより狭く、Ｄ＞Ｅとなっている。これにより、後部水平部１３の両側面は、前部水平部１１の両側面よりそれぞれΔｄ（Ｄ−Ｅ／２）だけ内側に位置している。ここで、内箱１の仕切り壁取付部５と仕切り壁１０の各部の寸法関係は、
Ｃ≧Ｄ＞Ｅ≦Ａ＞Ｂ
である。
【００２０】
また、仕切り壁１０の前部水平部１１の奥行方向の寸法Ｌ3は、内箱１の仕切り壁取付部５の寸法Ｌ1に対応し、後部水平部１３の前部水平部１１の後端部からの延設部１３ａの寸法Ｌ4は、仕切り壁取付部５の寸法Ｌ2に対応する。
【００２１】
上記のように構成した内箱１に仕切り壁１０を取付ける場合は、図５に示すように、先ず、仕切り壁１０の後部水平部１３を、仕切り壁取付部５の前部嵌合凹部６の上方に位置させて両側壁１ａ，１ｂの間に挿入する。ついで、前部水平部１１を前面側開口部から前部嵌合凹部６に挿入し、押し込む。このとき、後部水平部１３の延設部１４の下面は支持部８に沿って移動し、後端部が後部嵌合凹部９に嵌合して停止する。
【００２２】
この状態では、前部水平部１１の傾斜部１２は、仕切り壁取付部５の傾斜部７に密着し、後部水平部１３の延設部１４の下面両縁部は支持部８に支持されている。これにより、図１に示すように、仕切り壁１０の取付けが終り、内箱１は上室２と下室３に区画される。
【００２３】
本実施の形態によれば、内箱１への仕切り壁１０の取付けにあたっては、仕切り壁１０の後部水平部１３の幅Ｅが、上室２の側壁１ａ，１ｂの内壁面間の幅Ａとほぼ等しいかこれより狭く形成されているので、後部水平部１３をなんらの抵抗もなく両側壁１ａ，１ｂの間にスムーズに挿入することができる。
また、これにより、仕切り壁１０は内箱１の側壁１ａ，１ｂをムリに押し広げたりすることがないので、内箱１が変形したり割れを生じたりすることがない。
【００２４】
また、仕切り壁取付部５により仕切り壁１０の両側縁部及び後縁部を確実に保持させるために、下室３の両側壁１ａ，１ｂ及び後壁１ｃの板厚ｔ2を、上室３の両側壁１ａ，１ｂ及び後壁１ｃの板厚ｔ1より厚くして支持面積を拡大したので、仕切り壁１０の密着性が向上して仕切り壁１０を安定して保持することができる。
【００２５】
さらに、仕切り壁取付部５は、前面側だけに前部嵌合凹部６を設け、従来技術のようなアンダーカット部を省略したので、真空成形後のオス型又はメス型の脱型性を向上することができる。
これらにより、内箱１の真空成形性、仕切り壁１０の組立性を改善することができるので、不良率が低下しコストを低減することができる。
【００２６】
上記の説明では、図示の冷蔵庫の内箱１と仕切り壁１０に本発明を実施した場合を示したが、これに限定するものではなく、例えば、上下方向に３室以上の室を有する冷蔵庫や、後部が立ち下っている仕切り壁など、他の構造の冷蔵庫にも本発明を実施することができる。
【００２７】
また、内箱１の下室３の側壁１ａ，１ｂ及び後壁１ｃの板厚ｔ2を、上室２の側壁１ａ，１ｂ及び後壁１ｃの板厚ｔ1より厚く形成した場合を示したが、下室３の側壁１ａ，１ｂ及び後壁１ｃ全体の板厚を厚くすることなく、下室３の仕切り壁取付部５の下部近傍の側壁１ａ，１ｂ及び後壁１ｃ、より詳しくは、仕切り壁取付部５の上面６ｂの下部近傍の側壁１ａ，１ｂ及び後壁１ｃの板厚のみを厚くしてもよい。
【符号の説明】
【００２８】
１  内箱、２  上室、３  下室、５  仕切り壁取付部、６  前部嵌合凹部、６ａ  下面、６ｂ  上面、７  傾斜部、８  支持部、９  後部嵌合凹部、１０  仕切り壁、１１  前部水平部、１２  傾斜面、１３  後部水平部、１４  延設部。
【図１】
2011112278.tif 000003
【図２】
2011112278.tif 000004
【図３】
2011112278.tif 000005
【図４】
2011112278.tif 000006
【図５】
2011112278.tif 000007
【図６】
2011112278.tif 000008
【図７】
2011112278.tif 000009
【図８】
2011112278.tif 000010
【図９】
2011112278.tif 000011
【図１０】
2011112278.tif 000012